(57)【要約】【課題】本開示はバランス車の駐車方法及び装置を開示し、バランス車の分野に属する。【解決手段】前記方法は、バランス車と周囲の障害物との間の距離を取得することと、それぞれの距離における距離値が所定閾値より小さい距離個数を算出することと、個数が所定個数に達した場合、バランス車の駐車モードを起動し、バランス車が駐車モードにおいてバランスを自動的に維持することとを含む。関連技術においてユーザーがバランス車に乗って狭い空間に入った後、体を揺れ動かすことによりバランス車のバランスを維持することが困難である問題を解決する。バランス車が狭い空間に入った後、バランスを自動的に維持する効果に達成する。【選択図】図1
2017524850.tif 000002
【特許請求の範囲】
【請求項１】
バランス車と周囲の障害物との間の距離を取得することと、
それぞれの距離における距離値が所定閾値より小さい距離個数を算出することと、
前記個数が所定個数に達した場合、前記バランス車の駐車モードを起動し、前記バランス車が前記駐車モードにおいてバランスを自動的に維持することと、
を含むことを特徴とするバランス車の駐車方法。
【請求項２】
前記バランス車の駐車モードを起動する前に、前記方法は、
環境デバイスにより送信されたトリガー信号を受信することをさらに含み、
前記トリガー信号は、前記バランス車が前記環境デバイスと前記バランス車との通信領域である所定領域に入った後、前記環境デバイスにより前記バランス車に送信されたものであることを特徴とする請求項１に記載の方法。
【請求項３】
前記バランス車が前記駐車モードに入ることを提示するための提示メッセージを表示することと、
所定時間帯で前記バランス車が前記駐車モードを一時的に起動しないことを示すための拒否信号が受信されたか否かを検出することと、
前記拒否信号が受信された場合、前記駐車モードを一時的に起動しないことと、
前記拒否信号が受信されなかった場合、前記バランス車の駐車モードを起動する操作を実行することとをさらに含むことを特徴とする請求項１に記載の方法。
【請求項４】
前記バランス車の駐車モードを起動することは、
前記バランス車の自動バランスシステムを起動すること、
及び/又は、
前記バランス車におけるブレーキ機能を起動することを含むことを特徴とする請求項１に記載の方法。
【請求項５】
オフ信号を受信することと、
前記オフ信号が受信された後、前記バランス車の前記駐車モードをオフにすることとをさらに含むことを特徴とする請求項１〜４のいずれかに記載の方法。
【請求項６】
バランス車と周囲の障害物との間の距離を取得するように構成された距離取得モジュールと、
それぞれの距離における距離値が所定閾値より小さい距離個数を算出するように構成された個数算出モジュールと、
前記個数算出モジュールにより算出された前記個数が所定個数に達した場合、前記バランス車の駐車モードを起動し、前記バランス車が前記駐車モードにおいてバランスを自動的に維持するように構成されたモード起動モジュールと、
を含むことを特徴とするバランス車の駐車装置。
【請求項７】
前記モード起動モジュールにより前記バランス車の駐車モードを起動する前に、環境デバイスにより送信されたトリガー信号を受信するように構成された第１受信モジュールをさらに含み、
前記トリガー信号は、前記バランス車が前記環境デバイスと前記バランス車との通信領域である所定領域に入った後、前記環境デバイスにより前記バランス車に送信されたものであることを特徴とする請求項６に記載の装置。
【請求項８】
前記バランス車が前記駐車モードに入ることを提示するための提示メッセージを表示するように構成されたメッセージ表示モジュールと、
所定時間帯内で前記バランス車が前記駐車モードを一時的に起動しないことを示すための拒否信号が受信されたか否かを検出するように構成された検出モジュールと、
前記検出モジュールの検出結果が前記拒否信号が受信されたことである場合、前記駐車モードを一時的に起動しないように構成された一時起動止めモジュールと、
さらに前記検出モジュールの検出結果が前記拒否信号が受信されなかったことである場合、前記バランス車の駐車モードを起動する操作を実行するように構成された前記モード起動モジュールとをさらに含むことを特徴とする請求項６に記載の装置。
【請求項９】
前記モード起動モジュールは、
前記バランス車の自動バランスシステムを起動するように構成された第１起動サブモジュール、
及び/又は、
前記バランス車におけるブレーキ機能を起動するように構成された第２起動サブモジュールを含むことを特徴とする請求項６に記載の装置。
【請求項１０】
オフ信号を受信するように構成された第２受信モジュールと、
前記第２受信モジュールにより前記オフ信号が受信された後、前記バランス車の前記駐車モードをオフにするように構成されたモードオフモジュールとをさらに含むことを特徴とする請求項６〜９のいずれかに記載の装置。
【請求項１１】
バランス車と周囲の障害物との間の距離を取得し、
それぞれの距離における距離値が所定閾値より小さい距離個数を算出し、
前記個数が所定個数に達した場合、前記バランス車の駐車モードを起動し、前記バランス車が前記駐車モードにおいてバランスを自動的に維持するように構成されたプロセッサと、
プロセッサの実行可能なコマンドを記憶するためのメモリと、
を含むことを特徴とするバランス車の駐車装置。
【発明の詳細な説明】
【技術分野】
【０００１】
本願は出願番号ＣＮ２０１５１０４５５０１６．６、出願日２０１５年０７月２９日である中国特許出願に基づいて提出され、該中国特許出願の優先権を主張し、該中国特許出願の全ての内容はここで参考として本願に引用される。
【０００２】
本開示はバランス車に関し、特にバランス車の駐車方法及び装置に関する。
【背景技術】
【０００３】
科学技術の発展に伴って、バランス車がすでに日常生活に入るようになった。
【０００４】
人々がバランス車を使用する過程において、通常、体を揺れ動かすことによりバランス車のバランスを維持しなければならない。しかしながら、人々がバランス車に乗って狭い空間に入った後、体を揺れ動かすことによってバランス車のバランスを維持することは非常に困難である。
【発明の概要】
【発明が解決しようとする課題】
【０００５】
本開示はバランス車の駐車方法及び装置を提供する。
【課題を解決するための手段】
【０００６】
本開示の実施例の第１態様によれば、
バランス車と周囲の障害物との間の距離を取得することと、
それぞれの距離における距離値が所定閾値より小さい距離個数を算出することと、
前記個数が所定個数に達した場合、前記バランス車の駐車モードを起動し、前記バランス車が前記駐車モードにおいてバランスを自動的に維持することと、
を含むバランス車の駐車方法を提供している。
【０００７】
好ましくは、前記バランス車の駐車モードを起動する前に、前記方法は、
環境デバイスにより送信されたトリガー信号を受信することをさらに含み、
前記トリガー信号は、前記バランス車が前記環境デバイスと前記バランス車との通信領域である所定領域に入った後、前記環境デバイスにより前記バランス車に送信されたものである。
好ましくは、前記方法は、
前記バランス車が前記駐車モードに入ることを提示するための提示メッセージを表示することと、
所定時間帯で前記バランス車が前記駐車モードを一時的に起動しないことを示すための拒否信号が受信されたか否かを検出することと、
前記拒否信号が受信された場合、前記駐車モードを一時的に起動しないことと、
前記拒否信号が受信されなかった場合、前記バランス車の駐車モードを起動する操作を実行することとをさらに含む。
【０００８】
好ましくは、前記バランス車の駐車モードを起動することは、
前記バランス車の自動バランスシステムを起動すること、
及び/又は、
前記バランス車におけるブレーキ機能を起動することを含む。
好ましくは、オフ信号を受信することと、
前記オフ信号が受信された後、前記バランス車の前記駐車モードをオフにすることとをさらに含む。
【０００９】
本開示の実施例の第２態様によれば、
バランス車と周囲の障害物との間の距離を取得するように構成された距離取得モジュールと、
それぞれの距離における距離値が所定閾値より小さい距離個数を算出するように構成された個数算出モジュールと、
前記個数算出モジュールにより算出された前記個数が所定個数に達した場合、前記バランス車の駐車モードを起動し、前記バランス車が前記駐車モードにおいてバランスを自動的に維持するように構成されたモード起動モジュールと、
を含むバランス車の駐車装置を提供している。
【００１０】
好ましくは、前記装置は、
前記モード起動モジュールにより前記バランス車の駐車モードを起動する前に、環境デバイスにより送信されたトリガー信号を受信するように構成された第１受信モジュールをさらに含み、
前記トリガー信号は、前記バランス車が前記環境デバイスと前記バランス車との通信領域である所定領域に入った後、前記環境デバイスにより前記バランス車に送信されたものである。
【００１１】
好ましくは、前記装置は、
前記バランス車が前記駐車モードに入ることを提示するための提示メッセージを表示するように構成されたメッセージ表示モジュールと、
所定時間帯内で前記バランス車が前記駐車モードを一時的に起動しないことを示すための拒否信号が受信されたか否かを検出するように構成された検出モジュールと、
前記検出モジュールの検出結果が前記拒否信号が受信されたことである場合、前記駐車モードを一時的に起動しないように構成された一時起動止めモジュールと、
さらに前記検出モジュールの検出結果が前記拒否信号が受信されなかったことである場合、前記バランス車の駐車モードを起動する操作を実行するように構成された前記モード起動モジュールとをさらに含む。
【００１２】
好ましくは、前記モード起動モジュールは、
前記バランス車の自動バランスシステムを起動するように構成された第１起動サブモジュール、
及び/又は、
前記バランス車におけるブレーキ機能を起動するように構成された第２起動サブモジュールを含む。
【００１３】
好ましくは、前記装置は、
オフ信号を受信するように構成された第２受信モジュールと、
前記第２受信モジュールにより前記オフ信号が受信された後、前記バランス車の前記駐車モードをオフにするように構成されたモードオフモジュールとをさらに含む。
【００１４】
本願の実施例の第３態様によれば、
バランス車と周囲の障害物との間の距離を取得し、
それぞれの距離における距離値が所定閾値より小さい距離個数を算出し、
前記個数が所定個数に達した場合、前記バランス車の駐車モードを起動し、前記バランス車が前記駐車モードにおいてバランスを自動的に維持するように構成されたプロセッサと、
プロセッサの実行可能なコマンドを記憶するためのメモリと、
を含むことを特徴とするバランス車の駐車装置を提供している。
【００１５】
本開示の実施例により提供される技術案は、下記有益な効果を含むことができる。
【００１６】
バランス車と周囲の障害物との間の距離を取得することにより、それぞれの距離における距離値が所定閾値より小さい距離個数が所定個数に達したとき、バランス車の駐車モードを自動的に起動し、バランス車が駐車モードにおいてバランスを自動的に維持する。関連技術においてユーザーがバランス車に乗って狭い空間に入った後、体を揺れ動かすことによりバランス車のバランスを維持することが困難である問題を解決する。バランス車が狭い空間に入った後、バランスを自動的に維持できる効果に達成する。
【００１７】
理解すべきことは、以上の一般的な説明と後述の詳細な説明は例示的なものに過ぎず、本願を限定するものではない。
【図面の簡単な説明】
【００１８】
ここの図面は明細書に合せされ本明細書の一部を構成し、本願に適合する実施例を示し、明細書と共に本願の原理を解釈するのに用いられる。
【図１】一例示的な実施例により示されたバランス車の駐車方法のフローチャートである。
【図２Ａ】別の例示的な実施例により示されたバランス車の駐車方法のフローチャートである。
【図２Ｂ】別の例示的な実施例により示された提示メッセージの模式図である。
【図２Ｃ】別の例示的な実施例により示されたバランス車の駐車方法の別のフローチャートである。
【図２Ｄ】別の例示的な実施例により示されたバランス車が駐車モードを起動するときにバランス車が所在する環境を示す模式図である。
【図３】一例示的な実施例により示されたバランス車の駐車装置のブロック図である。
【図４】別の例示的な実施例により示されたバランス車の駐車装置のブロック図である。
【発明を実施するための形態】
【００１９】
ここで例示的な実施例について詳しく説明し、その実例は図面に示す通りである。下記の説明が図面に関わるとき、別途に表示されない限り、異なる図面における同じ数字は同じ又は類似する要素を表示する。以下の例示的な実施例に説明される実施形態は本発明と一致する全ての実施形態を表すわけではない。逆に、それらは添付の特許請求の範囲に詳細に記載された本発明の一部の態様と一致する装置と方法の例に過ぎない。
【００２０】
図１は一例示的な実施例により示されたバランス車の駐車方法のフローチャートであり、図1に示すように、該バランス車の駐車方法は以下のステップを含むことができる。
【００２１】
ステップ１０１において、バランス車と周囲の障害物との間の距離を取得する。
【００２２】
ステップ１０２において、それぞれの距離における距離値が所定閾値より小さい距離個数を算出する。
【００２３】
ステップ１０３において、距離個数が所定個数に達した場合、バランス車の駐車モードを起動し、バランス車が駐車モードにおけるバランスを自動的に維持する。
【００２４】
上記をまとめると、本開示の実施例により提供されるバランス車の駐車方法は、バランス車と周囲の障害物との間の距離を取得することにより、それぞれの距離における距離値が所定閾値より小さい距離個数が所定個数に達したとき、バランス車の駐車モードを自動的に起動し、バランス車が駐車モードにおいてバランスを自動的に維持する。関連技術においてユーザーがバランス車に乗って狭い空間に入った後、体を揺れ動かすことによりバランス車のバランスを維持しにくいという問題を解決する。バランス車が狭い空間に入った後、バランスを自動的に維持できる効果に達成する。
【００２５】
図２Ａは別の例示的な実施例により示されたバランス車の駐車方法のフローチャートであり、図２Ａに示すように、該バランス車の駐車方法は以下のステップを含むことができる。
【００２６】
ステップ２０１において、環境デバイスにより送信されたトリガー信号を受信し、当該トリガー信号はバランス車が環境デバイスとバランス車との通信領域である所定領域に入った後、環境デバイスによりバランス車に送信されたものである。
【００２７】
バランス車と環境デバイスが通信プロトコルを事前設定することができ、このように、バランス車が環境デバイスと通信できる通信領域に入ったとき、バランス車が該環境デバイスにより送信されたトリガー信号を受信することができる。環境デバイスが密閉空間が形成され、密閉空間に人を載せる装置を示し、密閉空間の大きさが所定空間より小さく、例えば、環境デバイスがエレベーター、地下鉄又は列車であっても良い。
【００２８】
バランス車が環境装置により送信されたトリガー信号を受信することは、バランス車が探測信号を送信し、環境デバイスによりフィードバックされた応答信号を受信し、該応答信号をトリガー信号とすること、又は、バランス車が環境デバイスにより自発的に送信されたトリガー信号を受信することを含む。
【００２９】
環境デバイスがエレベーターであることを例にとって、ユーザーがバランス車に乗り、エレベーターとバランス車が通信できる通信領域である所定領域に入り、即ちバランス車がエレベーターと通信できるとき、バランス車がエレベーターにより送信されたトリガー信号を受信することができる。
【００３０】
ステップ２０２において、バランス車と周囲の障害物との間の距離を取得する。
【００３１】
バランス車が周囲の障害物との間の距離をリアルタイムに取得することができ、ステップ２０１におけるトリガー信号が受信された後、周囲の障害物との間の距離を取得することもできるが、それは本実施例に限定されない。
【００３２】
バランス車に赤外線装置が設置され、該赤外線装置によって周囲の障害物との間の距離を測定する。例えば、赤外線装置によってバランス車自身と前部、後部、左部及び右部の四つの方向における障害物との間の距離を測定することができる。本実施例は赤外線装置によって障害物との間の距離を測定することのみを例とし、好ましくは、他の測定方法によってバランス車自身と周囲の障害物との間の距離を測定することもできるが、それは本実施例に限定されない。
【００３３】
ステップ２０３において、それぞれの距離における距離値が所定閾値より小さい距離個数を算出する。
【００３４】
ステップ２０４において、距離個数が所定個数に達した場合、バランス車が駐車モードに入ることを提示するための提示メッセージを表示する。
【００３５】
バランス車は距離値が所定閾値より小さい距離個数が所定個数に達したことが検出されたとき、バランス車が駐車モードに入ることを提示するための提示メッセージを表示する。
【００３６】
バランス車は、バランス車の中のメッセージ表示領域によって、例えば、ハンドルの中の表示画面によって該提示メッセージを表示することができ、音声によって該提示メッセージを出力こともできる。例えば、バランス車が表示画面を介して該提示メッセージを表示することを例とし、図２Ｂを参照し、バランス車の表示画面に「駐車モードを起動するか否か」を表示することができる。もちろん、ユーザーはバランス車が表示画面を介して表示された提示メッセージを見落とすことを避けるため、バランス車は音声及び表示画面の両方によって該提示メッセージを同時に表示することもできる。例えば、バランス車が図２Ｂに示された提示メッセージを表示すると同時に、「ディディディ」のような音声を出す。
【００３７】
好ましくは、所定個数が３以上の整数であってもよい。例えば、バランス車が少なくとも３つの方向の障害物と自身との距離が所定閾値より小さいことが検出された場合、バランス車は自身がエレベーターに入ったと判断することができ、このとき、バランス車は提示メッセージを表示することができる。
【００３８】
ステップ２０５において、所定時間帯でバランス車が駐車モードを一時的に起動しないことを示す拒否信号が受信されたか否かを検出する。
【００３９】
バランス車が提示メッセージを表示した後、バランス車はタイマーを起動してユーザーの操作を監視することができる。ユーザーの操作を監視することにより、所定時間帯で拒否信号が受信されたか否かを検出する。バランス車は所定時間帯で拒否信号が受信された場合、ステップ２０６を実行し、そうでなければステップ２０７を実行する。
【００４０】
図２Ｂに合わせ、バランス車が提示メッセージを表示した後、ユーザーがバランス車を駐車モードに入らせたい場合、「起動を確認する」のオプション２１を選択する。バランス車を駐車モードに入らせたくない場合、「一時的に起動しない」のオプション２２を選択する。対応的には、バランス車がユーザーの選択信号を受信することができる。
【００４１】
ステップ２０６において、拒否信号が受信された場合、駐車モードを一時的に起動しない。
【００４２】
バランス車が所定時間帯で拒否信号が受信された場合、ユーザーが駐車モードに一時的に入らせたくないことを示し、このとき、バランス車が駐車モードを一時的に起動しなくてもよい。好ましくは、バランス車が拒否信号が受信された後、タイマーを起動し、所定時間帯で駐車モードを一時的に起動しなくてもよい。
【００４３】
ステップ２０７において、拒否信号が受信されなかった場合、バランス車の駐車モードを起動する操作を実行する。
【００４４】
バランス車が所定時間帯で拒否信号が受信されなかった場合、バランス車が駐車モードを起動する。
【００４５】
好ましくは、バランス車が駐車モードの起動を確認する確認信号が受信された場合、駐車モードを即時に起動することができる。バランス車が所定時間帯でいずれかの信号が受信されなかった場合、所定時間帯が終了した後、駐車モードを起動することができる。バランス車が駐車モードにおいてバランスを自動的に維持する。
【００４６】
好ましくは、本ステップは以下の二つの可能な実現様態を含むことができる。
一つは、バランス車の自動バランスシステムを起動する。
【００４７】
バランス車は自身の自動バランスシステムを起動でき、自動バランスシステムを起動した後、バランス車がバランスを自動的に維持することができる。
【００４８】
もう一つは、バランス車におけるブレーキ機能を起動する。
【００４９】
ブレーキ機能を起動した後、バランス車がブレーキ機能の制限に限られてバランスを自動的に維持することができる。
【００５０】
追加説明が必要とする第１点は、ステップ２０１を選択可能なステップとし、実際に実現するとき、実行しなくてもよい。そして、本実施例は、ステップ２０１が第1ステップに実行することを例とし、好ましくは、ステップ２０７の前のいずれかのステップにおいてステップ２０１を実行することができるが、それは本実施例に限定されない。
【００５１】
追加説明が必要とする第２点は、ステップ２０４〜２０６を選択可能なステップとし、実際に実現するとき、距離値が所定閾値より小さい距離個数が所定個数に達した場合、バランス車が駐車モードを直接起動することもでき、即ちステップ２０７を直接実行するが、それは本実施例に限定されない。
【００５２】
追加説明が必要とする第３点は、図２Ｃを参照し、該バランス車の駐車方法は、
ステップ２０８において、オフ信号を受信することをさらに含む。
【００５３】
バランス車が駐車モードを起動した後、ユーザーが該バランス車を続けて使用したいとき、ユーザーがバランス車の駐車モードをオフにさせるオフ信号を印加することができる。対応的には、バランス車が該オフ信号を受信することができる。
【００５４】
バランス車の中に駐車モードをオフにするための物理ボタンを設置することができる。ユーザーが駐車モードをオフにしたい場合、ユーザーが該物理ボタンを押えることができ、バランス車が受信した押下信号をオフ信号とする。もちろん、実際に実現するとき、バランス車が他の様態によって該オフ信号を受信することもできるが、それは本実施例に限定されない。
【００５５】
ステップ２０９において、オフ信号が受信された後、バランス車の駐車モードをオフにする。
【００５６】
バランス車がオフ信号が受信された後、バランス車は駐車モードをオフにすることができる。この後、ユーザーが体を揺れ動かすことによりバランス車のバランスを維持することができ、さらに該バランス車を正常に使用する。
【００５７】
本実施例の一つの応用シーンにおいて、バランス車がエレベーターにより送信されたトリガー信号を受信した後、赤外線装置によって自身と周囲の障害物との距離を測定する。バランス車が測定により得られたそれぞれの距離における距離値が所定閾値より小さい距離個数が３個に達したとき、例えば、図２Ｄを参照し、バランス車が左右両側及び後方側と障害物との距離が所定閾値より小さいことを検出したとき、ユーザーがすでにバランス車に乗ってエレベーターに入ったことを示す。このとき、バランス車が駐車モードを起動することができ、さらにバランスを自動的に維持する（このように、ユーザーがバランス車に乗ってエレベーターに入った後、エレベーターのドアが閉まる前に、バランス車が駐車モードを起動することができ、ユーザーエクスペリエンスを向上させる）。好ましくは、バランス車が駐車モードを起動する前に、バランス車はハンドルの表示画面によってバランス車の駐車モードの起動を提示するための提示情報を表示することもでき、所定時間帯で拒否信号が受信されなかった場合、駐車モードを起動する。所定時間帯で拒否信号が受信された場合、ユーザーがエレベーターの外に待つ可能性があり、バランス車の駐車モードを起動したくないことを示し、そのため、このとき駐車モードを一時的に起動しなくてもよい。
【００５８】
上記をまとめると、本開示の実施例により提供されるバランス車の駐車方法は、バランス車と周囲の障害物との間の距離を取得することにより、それぞれの距離における距離値が所定閾値より小さい距離個数が所定個数に達したとき、バランス車の駐車モードを自動的に起動し、バランス車が駐車モードにおいてバランスを自動的に維持する。関連技術においてユーザーがバランス車に乗って狭い空間に入った後、体を揺れ動かすことによりバランス車のバランスを維持することが困難である問題を解決する。バランス車が狭い空間に入った後、バランス車がバランスを自動的に維持できる効果に達成する。
【００５９】
環境デバイスのトリガー信号が受信された後、駐車モードを起動することにより、バランス車が必要ではないシーンでも駐車モードを起動し、ユーザーの正常使用に影響を与える問題を避ける。同時に、バランス車がトリガー信号を受信した後、周囲の障害物との間の距離を取得するが、距離をリアルタイムに取得する必要がなく、バランス車の処理の複雑さを低減させる。
【００６０】
測定により得られたそれぞれの距離における距離値が所定閾値より小さい距離個数が所定個数に達したとき、駐車モードを起動することができるが、それぞれの距離における距離値が所定閾値より大きいときだけに駐車モードを起動する必要がなく、バランス車が駐車モードを起動する起動速度を向上させる効果に達成する。
【００６１】
バランス車が駐車モードを起動する前に、提示メッセージを表示し、さらにユーザーにより駐車モードを一時的に起動しないこと又は駐車モードを起動することを選択し、ユーザーの使用要求をより良く満足させることができ、ユーザーエクスペリエンスを向上させる効果に達成する。
【００６２】
また、バランス車が駐車モードを起動した後、ユーザーがバランス車を正常に使用したいとき、バランス車の駐車モードをオフにすることができ、ユーザーの使用に便利である。
【００６３】
以下は本開示に係わる装置の実施例であり、本開示方法の実施例を実行するのに用いることができる。本開示に係わる装置の実施例に開示されていない詳細については、本開示方法の実施例を参照する。
【００６４】
図３は一例示的な実施例により示されたバランス車の駐車装置のブロック図であり、図３に示すように、該バランス車の駐車装置は、距離取得モジュール３０１、個数算出モジュール３０２及びモード起動モジュール３０３を含むことができるがそれに限定されない。
【００６５】
距離取得モジュール３０１は、バランス車と周囲の障害物との間の距離を取得するように構成される。
【００６６】
個数算出モジュール３０２は、それぞれの距離における距離値が所定閾値より小さい距離個数を算出するように構成される。
【００６７】
モード起動モジュール３０３は、前記個数算出モジュール３０２により得られた前記個数が所定個数に達した場合、前記バランス車の駐車モードを起動し、前記バランス車が前記駐車モードにおいてバランスを自動的に維持するように構成される。
【００６８】
上記をまとめると、本開示の実施例により提供されるバランス車の駐車装置は、バランス車と周囲の障害物との間の距離を取得することにより、それぞれの距離における距離値が所定閾値より小さい距離個数が所定個数に達したとき、バランス車の駐車モードを自動的に起動し、バランス車が駐車モードにおいてバランスを自動的に維持する。関連技術においてユーザーがバランス車に乗って狭い空間に入った後、体を揺れ動かすことによりバランス車のバランスを維持することが困難である問題を解決する。バランス車が狭い空間に入った後、バランスを自動的に維持できる効果に達成する。
【００６９】
図４は別の実施例により示されたバランス車の駐車装置のブロック図であり、図４に示すように、該バランス車の駐車装置は、距離取得モジュール４０１、個数算出モジュール４０２及びモード起動モジュール４０３を含むことができるがそれに限定されない。
【００７０】
距離取得モジュール４０１は、バランス車と周囲の障害物との間の距離を取得するように構成される。
【００７１】
個数算出モジュール４０２は、それぞれの距離における距離値が所定閾値より小さい距離個数を算出するように構成される。
【００７２】
モード起動モジュール４０３は、前記個数算出モジュール４０２により算出された前記個数が所定個数に達した場合、バランス車の駐車モードを起動し、前記バランス車が駐車モードにおいてバランスを自動的に維持するように構成される。
【００７３】
好ましくは、前記装置は、
前記モード起動モジュール４０３により前記バランス車の駐車モードを起動する前に、環境デバイスにより送信されたトリガー信号を受信するように構成された第１受信モジュール４０４をさらに含む。前記トリガー信号は前記バランス車が前記環境デバイスと前記バランス車との通信領域である所定領域に入った後、環境デバイスにより前記バランス車に送信された信号である。
【００７４】
好ましくは、前記装置は、
前記バランス車が前記駐車モードに入ることを提示するための提示メッセージを表示するように構成されるメッセージ表示モジュール４０５と、
所定時間帯で前記バランス車が前記駐車モードを一時的に起動しないことを示すための拒否信号が受信されたか否かを検出するように構成された検出モジュール４０６と、
前記検出モジュール４０６の検出結果が前記拒否信号が受信されたことである場合、前記駐車モードを一時的に起動しないように構成された一時起動止めモジュール４０７と、
さらに前記検出モジュール４０６の検出結果が前記拒否信号が受信されなかったことである場合、前記バランス車の駐車モードを起動する操作を実行するように構成された前記モード起動モジュール４０３とをさらに含む。
【００７５】
好ましくは、前記モード起動モジュール４０３は、
前記バランス車の自動バランスシステムを起動するように構成された第１起動サブモジュール４０３ａ、
及び／又は、
前記バランス車におけるブレーキ機能を起動するように構成された第２起動サブモジュール４０３ｂを含む。
【００７６】
好ましくは、前記装置は、
オフ信号を受信するように構成された第２受信モジュール４０８と、
前記第２受信モジュール４０８により前記オフ信号が受信された後、前記バランス車の前記駐車モードをオフにするように構成されたモードオフモジュール４０９とを更に含む。
【００７７】
上記をまとめると、本開示の実施例により提供されるバランス車の駐車装置は、バランス車と周囲の障害物との間の距離を取得することにより、それぞれの距離における距離値が所定閾値より小さい距離個数が所定個数に達したとき、バランス車の駐車モードを自動的に起動し、バランス車が駐車モードにおいてバランスを自動的に維持する。関連技術においてユーザーがバランス車に乗って狭い空間に入った後、体を揺れ動かすことによりバランス車のバランスを維持することが困難である問題を解決する。バランス車が狭い空間に入った後、バランス車がバランスを自動的に維持できる効果に達成する。
【００７８】
環境デバイスからのトリガー信号が受信された後、駐車モードを起動することにより、バランス車が必要ではないシーンでも駐車モードを起動し、ユーザーの正常使用に影響を与えるという問題を避ける。同時に、バランス車はトリガー信号を受信した後、周囲の障害物との間の距離を取得するが、距離をリアルタイムに取得する必要がなく、バランス車の処理複雑さを低減させる。
【００７９】
バランス車が測定より得られたそれぞれの距離における距離値が所定閾値より小さい距離個数が所定個数に達したとき、駐車モードを起動することができるが、それぞれの距離における距離値がいずれも所定閾値より大きいときだけに駐車モードを起動する必要がなく、バランス車が駐車モードを起動する起動速度を向上させる効果に達成する。
【００８０】
バランス車が駐車モードを起動する前に、提示メッセージを表示し、さらにユーザーにより駐車モードを一時的に起動しないこと又は駐車モードを起動することを選択し、ユーザーの使用要求をより良く満足させることができ、ユーザーエクスペリエンスを向上させる効果に達成する。
【００８１】
また、バランス車が駐車モードを起動した後、ユーザーがバランス車を正常に使用したいとき、バランス車の駐車モードをオフにすることができ、ユーザーの使用に便利である。
【００８２】
上記実施例における装置について、そのうちの各モジュールが操作を実行する具体的な態様は既に該方法に関する実施例において説明されているため、ここでその説明を省略する。
【００８３】
本開示の一例示的な実施例により提供されたバランス車の駐車装置は、本開示により提供されたバランス車の駐車方法を実現することができ、該バランス車の駐車装置は、
バランス車と周囲の障害物との間の距離を取得し、
それぞれの距離における距離値が所定閾値より小さい距離個数を算出し、
前記個数が所定個数に達した場合、バランス車の駐車モードを起動し、前記バランス車が前記駐車モードにおいてバランスを自動的に維持するように構成されたプロセッサと、
プロセッサの実行可能なコマンドを記憶するためのメモリとを含む。
【００８４】
ここで理解すべきことは、本願は既に上記のように説明され、図面に示された正確な構造に限定されず、その範囲を逸脱しない限りにおいて様々な修正や変更を行うことができる。本願の範囲は添付の特許請求範囲のみにより限定される。
【図１】
2017524850.tif 000003
【図２Ａ】
2017524850.tif 000004
【図２Ｂ】
2017524850.tif 000005
【図２Ｃ】
2017524850.tif 000006
【図２Ｄ】
2017524850.tif 000007
【図３】
2017524850.tif 000008
【図４】
2017524850.tif 000009
【国際調査報告】
2017524850.tif 000010
2017524850.tif 000011
2017524850.tif 000012
2017524850.tif 000013